(57)【要約】【課題】ロール状に巻かれた径の小さな記録紙を用いる場合には、小型にすることができるプリンタ装置を提供する。【解決手段】印刷ヘッドを有する第１の機構部と、プラテンローラを有する第２の機構部と、前記第１の機構部が取り付けられる支持部材と、前記支持部材に回動可能な状態で接続され、前記第２の機構部が取り付けられる開閉部材と、を有し、前記開閉部材を前記支持部材に対して回動させることにより、前記第１の機構部と前記第２の機構部とが接続され、記録紙を収納する記録紙ホルダが取り付けられることを特徴とするプリンタ装置により上記課題を解決する。【選択図】  図１３
2019195968.tif 000002
【特許請求の範囲】
【請求項１】
印刷ヘッドを有する第１の機構部と、
プラテンローラを有する第２の機構部と、
前記第１の機構部が取り付けられる支持部材と、
前記支持部材に回動可能な状態で接続され、前記第２の機構部が取り付けられる開閉部材と、
を有し、
前記開閉部材を前記支持部材に対して回動させることにより、前記第１の機構部と前記第２の機構部とが接続され、
記録紙を収納する記録紙ホルダが取り付けられることを特徴とするプリンタ装置。
【請求項２】
前記記録紙ホルダは、前記記録紙の大きさに対応して取り替え可能であることを特徴とする請求項１に記載のプリンタ装置。
【請求項３】
印刷ヘッドを有する第１の機構部と、
プラテンローラを有する第２の機構部と、
前記第１の機構部が取り付けられる支持部材と、
前記支持部材にスライド可能な状態で接続され、前記第２の機構部が取り付けられる開閉部材と、
を有し、
前記開閉部材を前記支持部材に対してスライドさせることにより、前記第１の機構部と前記第２の機構部とが接続され、
記録紙を収納する記録紙ホルダが取り付けられることを特徴とするプリンタ装置。
【請求項４】
印刷ヘッドを有する第１の機構部と、
プラテンローラを有する第２の機構部と、
前記第１の機構部が取り付けられる支持部材と、
前記支持部材にスライド可能な状態で接続され、前記第２の機構部が取り付けられる開閉部材と、
を有し、
前記開閉部材をスライドさせることにより、前記第１の機構部と前記第２の機構部とが接続され、
記録紙は、前記第１の機構部に設けられた下側記録紙ガイドと上側記録紙ガイドとの間を通り搬送され、前記印刷ヘッドと前記プラテンローラとの間に供給されることを特徴とするプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなプリンタでは、記録紙である感熱紙を搬送してサーマルヘッドにより印字を行ない、カッターで所定の長さに記録紙を切断する。
【０００３】
このようなプリンタ装置には、プリンタ本体に回動可能に支持された蓋が設けられており、蓋を開くことによりプリンタ本体内の記録紙ホルダにロール状の記録紙を入れることができる。
【先行技術文献】
【特許文献】
【０００４】
【特許文献１】特開２０１７−５２２１３号公報
【特許文献２】特開２０１７−５６７０８号公報
【特許文献３】特開平１０−２５８５５３号公報
【特許文献４】特開昭６３−５１１６３号公報
【発明の概要】
【発明が解決しようとする課題】
【０００５】
ところで、ロール状の記録紙には径の大きさの異なるものがあるため、径の大きな記録紙にも径の小さな記録紙にも対応することができるように、記録紙ホルダは径の大きな記録紙に対応した大きさで形成される。
【０００６】
しかしながら、プリンタ装置には小型化の要求があり、径の小さな記録紙を主に用いる場合には、無駄なスペースが生じる。
【課題を解決するための手段】
【０００７】
本実施の形態の一観点によれば、印刷ヘッドを有する第１の機構部と、プラテンローラを有する第２の機構部と、前記第１の機構部が取り付けられる支持部材と、前記支持部材に回動可能な状態で接続され、前記第２の機構部が取り付けられる開閉部材と、を有し、前記開閉部材を前記支持部材に対して回動させることにより、前記第１の機構部と前記第２の機構部とが接続され、記録紙を収納する記録紙ホルダが取り付けられることを特徴とする。
【発明の効果】
【０００８】
本開示のプリンタ装置によれば、使用する記録紙に応じてプリンタ装置を小型にすることができる。
【図面の簡単な説明】
【０００９】
【図１】プリンタ装置の斜視図
【図２】プリンタ装置の蓋部が閉じている状態の断面図
【図３】プリンタ装置の蓋部が開いている状態の断面図
【図４】プリンタ装置の説明図
【図５】第１の実施の形態におけるプリンタ装置の斜視図
【図６】第１の実施の形態におけるプリンタ装置の断面図（１）
【図７】第１の実施の形態におけるプリンタ装置の断面図（２）
【図８】第１の実施の形態における支持部材の斜視図
【図９】第１の実施の形態における開閉部材の斜視図
【図１０】記録紙ホルダの斜視図（１）
【図１１】第１の実施の形態におけるプリンタ装置の説明図（１）
【図１２】記録紙ホルダの斜視図（２）
【図１３】第１の実施の形態におけるプリンタ装置の説明図（２）
【図１４】第１の実施の形態の支持部材と開閉部材の他の接続の説明図（１）
【図１５】第１の実施の形態の支持部材と開閉部材の他の接続の説明図（２）
【図１６】第１の実施の形態におけるプリンタ装置の変形例の説明図
【図１７】第２の実施の形態におけるプリンタ装置の斜視図
【図１８】第２の実施の形態におけるプリンタ装置の側面図（１）
【図１９】第２の実施の形態におけるプリンタ装置の側面図（２）
【図２０】第２の実施の形態におけるプリンタ装置の断面図（１）
【図２１】第２の実施の形態におけるプリンタ装置の断面図（２）
【図２２】第２の実施の形態における支持部材の斜視図
【図２３】第２の実施の形態における開閉部材の斜視図
【図２４】第２の実施の形態におけるプリンタ装置の説明図（１）
【図２５】第２の実施の形態におけるプリンタ装置の説明図（２）
【図２６】第２の実施の形態の支持部材と開閉部材の他の接続の説明図（１）
【図２７】第２の実施の形態の支持部材と開閉部材の他の接続の説明図（２）
【図２８】第２の実施の形態におけるプリンタ装置の変形例の断面図
【図２９】第２の実施の形態におけるプリンタ装置の変形例の斜視図（１）
【図３０】第２の実施の形態におけるプリンタ装置の変形例の斜視図（２）
【発明を実施するための形態】
【００１０】
本発明を実施するための形態について、以下に説明する。尚、同じ部材等については、同一の符号を付して説明を省略する。
【００１１】
〔第１の実施の形態〕
最初に、ロール状の記録紙に対応したプリンタ装置について、図1から図３に基づき説明する。図１はプリンタ装置の斜視図であり、図２は蓋が閉じた状態の断面図、図３は蓋が開いている状態の断面図である。
【００１２】
図１から図３に示すプリンタ装置は、プリンタ本体部１０、蓋部２０、サーマルヘッド等の印刷ヘッド３０、プラテンローラ４０、制御基板５０を有している。蓋部２０は、不図示の軸を中心に回動可能にプリンタ本体部１０に取り付けられている。
【００１３】
プリンタ本体部１０には、ロール状の記録紙が入れられる記録紙ホルダ１１が設けられており、印刷ヘッド３０、制御基板５０、固定刃、モータが取り付けられている。図１から図３のプリンタでは、記録紙ホルダ１１はプリンタ本体部１０と一体的に形成されている。制御基板５０は、プリンタ装置の制御を行なうために設けられている。モータとしては、記録紙を搬送するためのモータ、可動刃を駆動するためのモータが搭載されている。蓋部２０には、プラテンローラ４０、可動刃が取り付けられている。
【００１４】
図４に示すように、記録紙１００を設置する際には、記録紙１００を記録紙ホルダ１１内に入れ蓋部２０を閉じる。
【００１５】
このように記録紙ホルダ１１に設置された記録紙１００は、印刷ヘッド３０とプラテンローラ４０との間に供給され、印刷ヘッド３０とプラテンローラ４０との間に挟まれた状態で印刷ヘッド３０により印字がなされる。記録紙１００は、プラテンローラ４０が回転することにより搬送される。
【００１６】
ところで、記録紙には径の異なるものが存在している。記録紙１００は例えば直径が約８３ｍｍのもの、記録紙１０１は例えば直径が約４０ｍｍのものである。記録紙ホルダ１１は、記録紙１００であっても記録紙１０１であっても入れることができるように、径の大きな記録紙１００に対応した大きさに形成されている。例えば、図２及び図４のプリンタ装置の図示の縦方向の高さは約１１６ｍｍとなる。
【００１７】
しかしながら、径の小さな記録紙１０１のみしか用いない場合には、記録紙ホルダ１１内の空いたスペースが無駄となる。
【００１８】
（プリンタ装置）
次に、第１の実施の形態におけるプリンタ装置について、図５〜図７に基づき説明する。図５は、本実施の形態におけるプリンタ装置の要部の斜視図であり、図６は閉じた状態のプリンタ装置の断面図、図７は開いた状態のプリンタ装置の断面図である。
【００１９】
本実施の形態におけるプリンタ装置は、印刷ヘッド３０、プラテンローラ４０、制御基板５０を有するメカ部、カバーの支持部材１６０、開閉部材１７０、後述する記録紙ホルダを有している。メカ部は、印刷ヘッド３０、制御基板５０、固定刃、モータが取り付けられている第１のメカ部１５１と、プラテンローラ４０、可動刃が取り付けられている第２のメカ部１５２とを有しており、第１のメカ部１５１と第２のメカ部１５２とは分離可能である。本願では、第１のメカ部１５１を第１の機構部、第２のメカ部１５２を第２の機構部と記載する場合がある。
【００２０】
支持部材１６０は金属板等を折り曲げることにより形成されており、図８に示すように上板１６１と、上板１６１の長手方向の両側に位置する側板１６２とを有する。２つの側板１６２は、各々の面が互いに平行となるように形成されており、上板１６１と接続されている側と反対側の端部近傍には接続穴１６３が各々設けられている。
【００２１】
開閉部材１７０は、図９に示すように開閉本体１７１と開閉本体１７１の両側に各々設けられた支持部１７２とを有している。支持部１７２には支持部材１６０の接続穴１６３に対応するねじ穴１７３が設けられている。
【００２２】
本実施の形態では、開閉部材１７０は支持部材１６０に回動可能に接続されている。図５から図７に示すように、支持部材１６０と開閉部材１７０とは、接続穴１６３に入れられたねじ１６５をねじ穴１７３にねじ留めすることによって接続されている。
【００２３】
第１のメカ部１５１は、一部が２つの側板１６２の間に挟まれた状態で支持部材１６０の内側に取り付けられており、上板１６１にねじ１６６によりねじ留めされて固定されている。また、開閉部材１７０の開閉本体１７１には、第２のメカ部１５２がねじ１６７によりねじ留めされ固定されている。
【００２４】
本実施の形態では、開閉部材１７０を図５及び図６に示す状態から図７に示す状態にＡ方向に回動させることにより、プリンタを開くことができる。尚、図５、図６では第１のメカ部１５１と第２のメカ部１５２とが接続されている状態にあり、図７では第１のメカ部１５１と第２のメカ部１５２とが離れている。このように開閉部材１７０を開くことにより、第１のメカ部１５１と第２のメカ部１５２との間に詰まった記録紙を取り除くことができる。
【００２５】
また、図７に示すように、プリンタ装置が開いている状態から開閉部材１７０をＢ方向に回動させることにより、第１のメカ部１５１と第２のメカ部１５２とを接続することができ、記録紙への印字が可能な状態にすることができる。
【００２６】
本実施の形態におけるプリンタには、ロール状の記録紙を収納するための記録紙ホルダが取り付けられる。径の大きな記録紙１００を用いる場合には、図１０に示す記録紙ホルダ１８０が用いられる。記録紙ホルダ１８０、図１１に示すように第１のメカ部１５１または支持部材１６０に取り付けられる。記録紙１００は収納領域１８０ａに収納される。記録紙ホルダ１８０が取り付けられた図１１の状態のプリンタ装置の高さは約１１６ｍｍとなる。
【００２７】
また、径の小さな記録紙１０１を用いる場合には、図１２に示す記録紙ホルダ１８１が用いられる。記録紙ホルダ１８１は、図１３に示すように第１のメカ部１５１または支持部材１６０に取り付けられる。記録紙１０１は収納領域１８１ａに収納される。記録紙ホルダ１８１が取り付けられた図１３の状態のプリンタ装置の高さは約８３ｍｍとなる。尚、記録紙ホルダは第１のメカ部１５１等のプリンタユニットが搭載される装置と一体に形成してもよい。
【００２８】
記録紙ホルダ１８１を取り付けた場合、図１から図４に示すプリンタ装置と比べて高さを約２３ｍｍ小さくすることができる。更に、この場合には図１３に図示する横方向の長さも一部短くすることができ、より一層、プリンタ装置を小型にすることができる。
【００２９】
また、径の大きな記録紙に対応した記録紙ホルダを取り付けることで、同じプリンタで径の大きな記録紙を使用することが可能となる。
【００３０】
（支持部材１６０と開閉部材１７０との接続）
支持部材１６０と開閉部材１７０とは、ねじ１６５以外により接続されてもよい。
【００３１】
図１４（ａ）では、支持部材１６０の側板１６２に接続穴１６３が設けられており、図１４（ｂ）では、開閉部材１７０の支持部１７２に円柱状の突起１７４が設けられている。図１４（ｃ）に示すように、接続穴１６３に突起１７４を入れることにより、開閉部材１７０が支持部材１６０に対して回動可能に支持されるものであってもよい。
【００３２】
また、図１５（ａ）では、側板１６２に円柱状の突起１６４が設けられ、図１５（ｂ）では、支持部１７２に接続穴１７５が設けられている。図１５（ｃ）に示すように、接続穴１７５に突起１６４を入れることにより、開閉部材１７０が支持部材１６０に回動可能に支持されるものであってもよい。
【００３３】
尚、本実施の形態におけるプリンタ装置は、つづら折り状に折りたたまれた記録紙にも対応するものであってもよい。
【００３４】
（変形例）
図６及び図７では、制御基板５０は第１のメカ部１５１に斜めに取り付けられているが、図１６に示すように垂直に取り付け、第１のメカ部１５１の横方向の幅を狭くしたものであってもよい。これにより、小さな記録紙１０１を用いる場合にはプリンタ装置を更に小型にすることができる。
【００３５】
〔第２の実施の形態〕
次に、第２の実施の形態におけるプリンタ装置について、図１７〜図２１に基づき説明する。図１７は本実施の形態におけるプリンタ装置の斜視図であり、図１８は閉じた状態のプリンタ装置の側面図、図１９は開いた状態のプリンタ装置側面図、図２０は閉じた状態のプリンタ装置の断面図、図２１は開いた状態のプリンタ装置の断面図である。
【００３６】
本実施の形態におけるプリンタ装置は、印刷ヘッド３０、プラテンローラ４０、制御基板５０を有するメカ部を有している。メカ部は、印刷ヘッド３０、制御基板５０、固定刃、モータが取り付けられている第１のメカ部２５１と、プラテンローラ４０、可動刃が取り付けられている第２のメカ部２５２とを有しており、第１のメカ部２５１と第２のメカ部２５２とは分離可能である。
【００３７】
第１のメカ部２５１の筐体の一部を兼ねた支持部材２６０は、金属板等を折り曲げることにより形成されており、図２２に示すように上板２６１と上板２６１の長手方向の両側の２つの側板２６２とを備える。２つの側板２６２は、各々の面が互いに平行となるように形成されており、上板２６１の側とは反対側の端部には長穴２６３が形成されている。
【００３８】
第２のメカ部２５２の筐体の一部を兼ねた開閉部材２７０は、図２３に示すように開閉本体２７１と開閉本体２７１の長手方向の両側の２つの支持部２７２とを有している。支持部２７２には、長穴２６３に対応するねじ穴２７３が設けられている。
【００３９】
図１７から図１９に示すように、支持部材２６０と開閉部材２７０とは、支持部材２６０の長穴２６３に通したネジ２６５を開閉部材２７０のねじ穴２７３にねじ留めすることによって互いに接続される。開閉部材２７０にねじ留めされているねじ２６５は長穴２６３内を移動することができるため、支持部材２６０が取り付けられている第１のメカ部２５１に対し、開閉部材２７０が取り付けられている第２のメカ部２５２をスライドして移動させることができる。
【００４０】
図１８及び図２０に示す閉じた状態から、第１のメカ部２５１と第２のメカ部２５２とが離れる方向に開閉部材２７０をスライドさせることにより、図１９及び図２１に示されるようにプリンタを開いた状態にすることができる。このように第１のメカ部２５１に対して第２のメカ部２５２を開くことにより、第１のメカ部２５１と第２のメカ部２５２との間に詰まった記録紙を取り除くことができる。
【００４１】
また、本実施の形態におけるプリンタ装置には、記録紙を収納するための記録紙ホルダを取り付けることが可能である。径の大きな記録紙１００を用いる場合には、図１０に示す記録紙ホルダ１８０が用いられ、図２４に示すように第１のメカ部２５１または支持部材２６０に取り付けられる。また、径の小さな記録紙１０１を用いる場合には、図１２に示す記録紙ホルダ１８１が用いられ、図２５に示すように第１のメカ部２５１または支持部材２６０に取り付けられる。
【００４２】
（支持部材２６０と開閉部材２７０との接続）
支持部材２６０と開閉部材２７０とは、ねじ２６５以外により接続するものであってもよい。
【００４３】
図２６（ａ）では、支持部材２６０の側板２６２に長穴２６３が設けられ、図２６（ｂ）では、開閉部材２７０の支持部２７２に円柱状の突起２７４が設けられている。図２６（ｃ）に示すように、長穴２６３に突起２７４を入れることにより開閉部材２７０が支持部材２６０に開閉可能に支持されるものであってもよい。突起２７４は長穴２６３内を移動することができるため、開閉部材２７０は支持部材２６０に対してスライド可能に支持される。
【００４４】
また、図２７（ａ）では、側板２６２に円柱状の突起２６４が設けられ、図２７（ｂ）では、支持部２７２に接続穴２７５が設けられている。図２７（ｃ）に示すように、接続穴２７５に突起２６４を入れることにより、支持部材２６０に対し開閉部材２７０がスライド可能に支持されるものであってもよい。
【００４５】
（変形例）
本実施の形態におけるプリンタ装置は、図２８に示すように、プリンタ装置の図示右側に記録紙２００が設置されているものであってもよい。この場合には、図２８の２点鎖線により囲まれた領域内に記録紙ホルダが設けられる。
【００４６】
図２９は、下側から見た図２８のプリンタの斜視図であり、図３０は上側から見た斜視図である。図２９及び図３０に示すプリンタ装置には、プリンタ装置より記録紙２００が設置されている側に延びる下側記録紙ガイド２８１と上側記録紙ガイド２８２とが設けられている。記録紙２００は、下側記録紙ガイド２８１と上側記録紙ガイド２８２との間を通り搬送され、印刷ヘッド３０とプラテンローラ４０との間に供給され、印刷ヘッド３０による印刷がなされる。
【００４７】
尚、上記以外の内容については、第１の実施の形態と同様である。
【００４８】
以上、本発明の実施に係る形態について説明したが、上記内容は、発明の内容を限定するものではない。
【符号の説明】
【００４９】
３０        印刷ヘッド
４０        プラテンローラ
５０        制御基板
１００、１０１      記録紙
１５１      第１のメカ部
１５２      第２のメカ部
１６０      支持部材
１６１      上板
１６２      側板
１６３      接続穴
１６５      ねじ
１７０      開閉部材
１７１      開閉本体
１７２      支持部
１７３      ねじ穴
１８０、１８１      記録紙ホルダ
【図１】
2019195968.tif 000003
【図２】
2019195968.tif 000004
【図３】
2019195968.tif 000005
【図４】
2019195968.tif 000006
【図５】
2019195968.tif 000007
【図６】
2019195968.tif 000008
【図７】
2019195968.tif 000009
【図８】
2019195968.tif 000010
【図９】
2019195968.tif 000011
【図１０】
2019195968.tif 000012
【図１１】
2019195968.tif 000013
【図１２】
2019195968.tif 000014
【図１３】
2019195968.tif 000015
【図１４】
2019195968.tif 000016
【図１５】
2019195968.tif 000017
【図１６】
2019195968.tif 000018
【図１７】
2019195968.tif 000019
【図１８】
2019195968.tif 000020
【図１９】
2019195968.tif 000021
【図２０】
2019195968.tif 000022
【図２１】
2019195968.tif 000023
【図２２】
2019195968.tif 000024
【図２３】
2019195968.tif 000025
【図２４】
2019195968.tif 000026
【図２５】
2019195968.tif 000027
【図２６】
2019195968.tif 000028
【図２７】
2019195968.tif 000029
【図２８】
2019195968.tif 000030
【図２９】
2019195968.tif 000031
【図３０】
2019195968.tif 000032